(57)【特許請求の範囲】
【請求項１】
底(1a)を有する容器本体(1)の開口縁にフランジ部(2) が形成され、そのフランジ部(2) にフィルム材または板材からなる蓋(3)が接合される蓋付き容器において、
その蓋(3)は剛性および弾性を有し、それを直線的または曲線的に横断するヒンジ(4)がその蓋(3)に設けられて、そのヒンジ部(4)を境に蓋(3)の一部が片開き扉状に開放され、
蓋(3)の閉状態で、そのヒンジ(4)を通る蓋(3)の第１横断面（ａ）は、容器本体(1)の底側に凹陥する凹曲面を有し、その第１横断面（ａ）に交差する第２横断面（ｂ）は、蓋(3)の外側に突出する凸曲面を有して、そのヒンジ(4)を含むその近傍が三次曲面(5)で形成され、
そのヒンジ(4)の回りに蓋(3)の一部を一定以上回動して開くとき、その三次曲面(5)の弾性により、第１横断面（ａ）が突然、前記凹曲面から蓋(3)側に突出する凸曲面に変形して、その開状態が保持される自己保持機構を有することを特徴とする蓋付き容器。
【請求項２】
請求項１に記載の蓋付き容器において、
前記三次曲面(5)の平面外周は略楕円状に形成され、その長軸が前記第１横断面（ａ）上に存在し、前記第２横断面（ｂ）がその第１横断面（ａ）に直交する短軸上にある蓋付き容器。
【請求項３】
請求項２に記載の蓋付き容器において、
前記長軸に沿う楕円の弧がその両端から中心に次第に、フランジ部(2) からの深さの深くなる弧状壁(7)を形成する蓋付き容器。
【請求項４】
請求項２または請求項３に記載の蓋付き容器において、
第２横断面（ｂ）の前記短軸が、フランジ面に対して傾斜している蓋付き容器。
【請求項５】
請求項１〜請求項４のいずれかにおいて、
前記蓋(3)の一部に蓋開放のための舌片部(6)が、容器本体(1)の外周に突設され、その舌片部(6)を含む蓋(3)の直径線に交差して前記ヒンジ(4)が設けられ、
そのヒンジ(4)の位置が容器本体(1)の直径線上または、その直径線に対して舌片部(6)に近接する位置、或いは離反する位置にある蓋付き容器。
【請求項６】
請求項１〜請求項５のいずれかに記載の蓋付き容器において、
前記三次曲面(5)が、前記ヒンジ(4)の近傍のみに存在し、他の部分は同一の容器の底をその蓋(3)上に載置したとき、その軸線を垂直に保持できるように、蓋(3)の上面が平坦に形成されている蓋付き容器。
【請求項７】
請求項１〜請求項６のいずれかに記載の蓋付き容器において、
前記舌片部(6)から前記ヒンジ(4)までの範囲では、蓋(3)と容器本体(1)のフランジ部(2) との接着力をそれ以外の範囲に比べて弱くした蓋付き容器。
【発明の詳細な説明】
【技術分野】
【０００１】
本発明は、飲食物や各種材料を収納する蓋付き容器に関し、その蓋が容器本体のフランジ部に接合されると共に、その蓋の舌片部を持って開放するとき、そのヒンジの周りに開放状態を維持できる自己保持機構を設けたものに関する。
【背景技術】
【０００２】
蓋付き容器において、容器本体と蓋との機密性または液密性を保つため、蓋が容器本体のフランジ部に接合されているものが存在する。
一般にその蓋は、軟質フィルムや硬質フィルムで形成されている。軟質フィルムを容器本体の開口のフランジに接着し、その端部をフランジより突出させて舌片部とし、その舌片部から蓋を開放し易くしたものが存在する。
さらには、容器本体とは接着されない着脱型の蓋において、その蓋の一部を開閉自在にして、そこからストローを差し込み或いは、そこから飲み物を取り出すようにしたものも存在する。
【先行技術文献】
【特許文献】
【０００３】
【特許文献１】特開２００５−２９１８０号公報
【特許文献２】特開平０６−１０００５０号公報
【発明の概要】
【発明が解決しようとする課題】
【０００４】
比較的剛性または純剛性のフィル材または板材からなる蓋を有する蓋付き容器において、取り扱い性を良くするために、その蓋に開閉を容易にするヒンジを有し、且つ気密性または液密性を保持しつつ、その一部を開放した場合、その状態を蓋自体の弾性によって自己保持できる蓋付き容器を提供することを課題とする。
それにより、蓋の一部が開放された部分から内容物を容易に取り出せる。
【課題を解決するための手段】
【０００５】
請求項１に記載の本発明は、底(1a)を有する容器本体(1)の開口縁にフランジ部(2) が形成され、そのフランジ部(2) にフィルム材または板材からなる蓋(3)が接合される蓋付き容器において、
その蓋(3)は剛性および弾性を有し、それを直線的または曲線的に横断するヒンジ(4)がその蓋(3)に設けられて、そのヒンジ部(4)を境に蓋(3)の一部が片開き扉状に開放され、
蓋(3)の閉状態で、そのヒンジ(4)を通る蓋(3)の第１横断面（ａ）は、容器本体(1)の底側に凹陥する凹曲面を有し、その第１横断面（ａ）に交差する第２横断面（ｂ）は、蓋(3)の外側に突出する凸曲面を有して、そのヒンジ(4)を含むその近傍が三次曲面(5)で形成され、
そのヒンジ(4)の回りに蓋(3)の一部を一定以上回動して開くとき、その三次曲面(5)の弾性により、第１横断面（ａ）が突然、前記凹曲面から蓋(3)側に突出する凸曲面に変形して、その開状態が保持される自己保持機構を有することを特徴とする蓋付き容器である。
【０００６】
請求項２に記載の本発明は、請求項１に記載の蓋付き容器において、
前記三次曲面(5)の平面外周は略楕円状に形成され、その長軸が前記第１横断面（ａ）上に存在し、前記第２横断面（ｂ）がその第１横断面（ａ）に直交する短軸上にある蓋付き容器である。
請求項３に記載の本発明は、請求項２に記載の蓋付き容器において、
前記長軸に沿う楕円の弧がその両端から中心に次第に、フランジ部(2) からの深さの深くなる弧状壁(7)を形成する蓋付き容器である。
【０００７】
請求項４に記載の本発明は、請求項２または請求項３に記載の蓋付き容器において、
第２横断面（ｂ）の前記短軸が、フランジ面に対して傾斜している蓋付き容器である。
請求項５に記載の本発明は、請求項１〜請求項４のいずれかにおいて、
前記蓋(3)の一部に蓋開放のための舌片部(6)が、容器本体(1)の外周に突設され、その舌片部(6)を含む蓋(3)の直径線に交差して前記ヒンジ(4)が設けられ、
そのヒンジ(4)の位置が容器本体(1)の直径線上または、その直径線に対して舌片部(6)に近接する位置、或いは離反する位置にある蓋付き容器である。
【０００８】
請求項６に記載の本発明は、請求項１〜請求項５のいずれかに記載の蓋付き容器において、
前記三次曲面(5)が、前記ヒンジ(4)の近傍のみに存在し、他の部分は同一の容器の底をその蓋(3)上に載置したとき、その軸線を垂直に保持できるように、蓋(3)の上面が平坦に形成されている蓋付き容器である。
請求項７に記載の本発明は、請求項１〜請求項６のいずれかに記載の蓋付き容器において、
前記舌片部(6)から前記ヒンジ(4)までの範囲では、蓋(3)と容器本体(1)のフランジ部(2) との接着力をそれ以外の範囲に比べて弱くした蓋付き容器である。
【発明の効果】
【０００９】
請求項１に記載の本発明は、蓋３の閉状態で、そのヒンジ４が横断する蓋３の第１横断面（ａ）が凹曲面を有し、それに交差する第２横断面（ｂ）が凸曲面を有して、そのヒンジ４を含むその近傍が三次曲面５で形成され、
蓋３を開くとき、弾性により、第１横断面（ａ）が凸曲面に変形して、その開状態が保持される自己保持機構を有するものである。
そのため、蓋を手で保持し続けることなく、蓋３の開状態を維持でき、使い勝手のよい蓋付き容器となる。
【００１０】
請求項２に記載の発明は、三次曲面５の平面外周が略楕円状に形成され、その長軸がヒンジ部４上の第１横断面（ａ）に存在するから、三次曲面の変形を容易に無理なく行い、使い勝手のよい蓋付き容器となる。
請求項３に記載の発明は、長軸に沿う楕円の弧がその両端から中心に次第に、フランジ部からの深さの深くなる弧状壁(7)を形成するものである。それにより、体裁のよい三次曲面を容易に形成でき、蓋の自己保持機構を確保できる。
【００１１】
請求項４に記載の発明は、三次曲面の短軸となる第２横断面（ｂ）が、フランジ面に対して傾斜しているので、その傾斜面の上流側の深さが、相対的に次第に浅くなる三次曲面となり、自然で、体裁のよい蓋付き容器となる。
請求項５に記載の発明は、蓋３の舌片部６を含む直径線に直交して、ヒンジ４が設けられているから、その舌片部６を保持して、蓋３を開放すると自然に、その開放状態を蓋の弾性により維持することができる。
【００１２】
請求項６に記載の発明は、三次曲面５が、前記ヒンジ４の近傍のみに存在し、他の部分は、平坦に形成されて、同一の容器の底を隣接する容器の蓋３上に載置できるから、容器を縦方向に多数重ねることができ、多数の容器の保管、輸送に便利である。
請求項７に記載の発明は、舌片部６から前記ヒンジ４までの範囲では、蓋３と容器本体１のフランジ部２との接着力をそれ以外の範囲に比べて弱くしたから、蓋を開け易い。それと共に、蓋を開け過ぎて、その蓋が容器本体から分離する不都合を防止できる。
【図面の簡単な説明】
【００１３】
【図１】本発明の第１実施例の蓋付き容器の斜視図および、その断面図。
【図２】同容器の蓋の作用を示す説明図。
【図３】同容器の平面図。
【図４】同容器の重ね合わせ状態を示す斜視図。
【図５】同第２実施例の蓋付き容器の斜視図および、その断面図。
【図６】同第３実施例の蓋付き容器の斜視図および、その断面図。
【図７】同第４実施例の蓋付き容器の斜視図。
【図８】同第５実施例の蓋付き容器の斜視図および、その断面図。
【発明を実施するための形態】
【００１４】
次に、図面に基づいて本発明の実施の形態につき説明する。
【実施例１】
【００１５】
図１は本発明の第１実施例であって、（Ａ）はその斜視図、（Ｂ）はＢ−Ｂ断面略図  （Ｃ）はＣ−Ｃ断面略図を示す。
この蓋付き容器は円錐台形状の容器本体１の開口端にフランジ部２を有し、そのフランジ部２に蓋３がヒートシール等により、気密及び液密に接合されている。
この蓋３は、剛性および弾性を有するプラスチックシートからなり、その一端に舌片部６を半径方向外側に突設している。そして舌片部６とその中心とを結ぶ直径線上に直交するようにその他端部に片寄って、一対のヒンジ４が形成され、そのヒンジ４間を結ぶ直線または曲線の第１横断面ａを長軸とした平面楕円形の三次曲面５が凹陥されている。
【００１６】
この三次曲面５は、第１横断面ａに直交する第２横断面ｂを有する。その第１横断面ａは蓋３の閉塞状態において図１（Ｂ）の如く容器本体１の底1a側に凹陥する湾曲面を有し、第２横断面ｂは図１（Ｃ）の如く、その底1aに対して外側に突出する凸曲面を有する。
そしてこの第１横断面ａの凹曲面と第２横断面ｂの凸曲面を形成するため、互いに対向する一対の楕円の弧が、その両端から中心に次第に深さを深くする弧状壁７に形成されている。
即ち、弧状壁７の両端部はその深さが殆どなく、中心部は最も深い。この深さは、容器本体１のフランジ部２からの深さをいう。
三次曲面５は、蓋３の他端部のみにあり、その他は平坦に形成されている。このようにすることにより、図４に示す如く、同一の蓋付き容器を上下方向に重ねることができる。  即ち、上の容器本体１の底1aが、下の容器の蓋３に載置される。
【００１７】
（作用）
ここで、舌片部６を上方に持ち上げ、容器本体１のフランジ部２との接着を剥がしていくと、三次曲面５は次第に変形し、蓋３がある一定以上回動されると三次曲面５の弾性により、第１横断面ａが突然凹曲面から凸曲面に変形して、その開状態が保持される。その作用は、図１（Ｃ）の破線、および図２（Ａ）から（Ｂ）に示す通りである。
即ち、図２の（Ａ）の状態から第１断面ａの周りに蓋を回転させると、三次曲面５は（Ａ）の状態から（Ｂ）の状態に突然変形し、その状態を自己保持する。本発明では、これを自己保持機構という。そして図２（Ｂ）の状態では、第１横断面ａが凸曲面となり、第２横断面ｂが凹曲面となる。
【００１８】
なお、図２では説明を分かり易くするため、三次曲面５の厚みを、実際よりも厚く誇張して記載している。この蓋３は、比較的薄い剛性及び弾性を有する硬質フィルムからなる。そして図１の例では、ヒンジ４線上において、蓋３の外周はＶ字状に欠切され容易に蓋が、開閉できるようにしている。さらに、そのフィルムの接着代は、部分的に異なっている。即ち、図３に示す如く、舌片部６からヒンジ４までの接着代Ｓ２は、それ以外の接着代Ｓ１より小さい。それにより、蓋３の開放をより容易にしている。さらに、蓋３がヒンジ４まで開放されると、それ以上開放し難くしている。その理由は、不用意に蓋３が本体１から分離する不都合を防止するためである。
【実施例２】
【００１９】
次に、図５は本発明の第２実施例であり、この例が図１の第１実施例と異なる点は、三次曲面５の位置のみである。第１実施例では、三次曲面５が一方側に偏り、それにより蓋３をより大きく開放することができる。
図５の例では、三次曲面５が蓋３の中央部に存在する。それにより、蓋の半分程を開放できる。なお、三次曲面を舌片部６の近傍に設けることもできる。この場合、蓋３の開放を小さくできる。それにより、内容物を少量づつ取り出すことができる。
それらの、三次曲面５の各作用効果は図１の作用効果と同一である。そして、蓋３を開放するとき、図５（Ｂ）の水平状態から垂直状態に移行する。
また、この実施例の三次曲面５も蓋３の一部にのみ設けられ、他の部分は平坦に形成されているから、同一の蓋付き容器を上下方向に重ねることができる。そのとき、各蓋付き容器の軸線は、略同心になる。
【実施例３】
【００２０】
次に、図６は本発明の第３実施例であり、この例が図１のそれと異なる点は、弧状壁７が楕円の一方側であって、容器本体１のフランジ部２に沿って配置されているものである。そして三次曲面５の第２横断面ｂは、容器本体１のフランジ面に対して傾斜し、フランジから中心に向って次第にその深さを浅くしている。なお、想像線ｃは三次曲面と平面との境を表す。
この例においても、蓋３の閉塞状態において、第１横断面ａは凹陥し第２横断面ｂが突出する。その作用効果も図３と同一である。そして、蓋３を開放するとき、図６（Ｂ）の水平状態から垂直状態に移行する。
【実施例４】
【００２１】
次に、図７は本発明の第４実施例であり、この例が図６のそれと異なる点は、弧状壁７が蓋３の中心側に形成されている点のみである。そしてその作用効果は、図６のそれと同一である。
【実施例５】
【００２２】
次に、図８は本発明の第５実施例であり、この例は三次曲面５を除いて蓋３の大部分の平面が容器本体１のフランジ部２に対して凹陥し、平坦に形成されている。そして舌片部６と蓋３の中心とを結ぶ直線状に第２横断面ｂが形成され、それに交差して第１横断面ａが形成されている。そしてその第１横断面ａ，第２横断面ｂを含む、それらの近傍に三次曲面５が形成されている。第１横断面ａは蓋３の閉塞状態で凹陥し、第２横断面ｂは突出する。その作用効果は、前記各実施例と同一である。そして、蓋３を開放するとき、図８（Ｂ）の水平状態から垂直状態に移行する。
【符号の説明】
【００２３】
１  容器本体
1a  底
２  フランジ部
３  蓋
４  ヒンジ
５  三次曲面
６  舌片部
７  弧状壁
ａ  第１横断面
ｂ  第２横断面
ｃ  想像線
【要約】
【課題】  ヒンジを有する容器の蓋において、蓋の弾性を利用して、開放状態を自己保持できる使い勝手の良い蓋付き容器の提供。
【解決手段】  剛性および弾性を有する蓋３のヒンジ４を境に、蓋の一部が片開きするものにおいて、蓋３の閉塞状態でヒンジ４を通る第１横断面ａを凹曲面とし、それに交差する第２横断面ｂを凸曲面とした三次曲面５で形成され、蓋３を回動して開くとき三次曲面５の弾性により、第１横断面ａが凸曲面に変形して、その開状態が保持される。
【選択図】        図１【図１】
0005122694.tif 000002
【図２】
0005122694.tif 000003
【図３】
0005122694.tif 000004
【図４】
0005122694.tif 000005
【図５】
0005122694.tif 000006
【図６】
0005122694.tif 000007
【図７】
0005122694.tif 000008
【図８】
0005122694.tif 000009